(57)【要約】      【課題】開口に蓋を有する包装容器の封緘と、隠蔽情報の表示が出来る封緘シールを提供する。      【解決手段】封緘シール１は、蓋に貼付する蓋シール２と、容器に貼付する容器シール３とを有し、蓋シール２を上層にして容器シール３とを重ね合わせて擬似接着している擬似接着層４と、擬似接着層４の下層で、容器シール３に表面に印字されている隠蔽情報である隠蔽情報表示部１４と、により形成されており、開口に蓋を有する包装容器の封緘と、隠蔽情報の表示が行える。  【選択図】    図１
2005189456.tif 000002
【特許請求の範囲】
【請求項１】
容器と、該容器の開口に取り付けた蓋に跨って貼付される封緘シールであって、
裏面の一部に粘着剤が塗布され、前記蓋に貼付する蓋シールと、
裏面の一部に粘着剤が塗布され、前記容器に貼付する容器シールと、
前記蓋シールと前記容器シールそれぞれの前記粘着剤の非塗布部分を互いに重ね合わせて接着した擬似接着層を有することを特徴とする封緘シール。
【請求項２】
前記容器シールの表面に隠蔽情報を印刷した隠蔽情報表示部を有し、前記隠蔽情報表示部の上層に前記擬似接着層を介して前記蓋シールを接着して形成したことを特徴とする請求項１記載の封緘シール。
【請求項３】
前記擬似接着層の一部に擬似接着しない非擬似接着領域を有することを特徴とする請求項１または２記載の封緘シール。
【請求項４】
前記封緘シールの表面に宣伝情報の印刷がされている情報表示部を有することを特徴とする請求項１ないし３のいずれかに記載の封緘シール。
【発明の詳細な説明】
【技術分野】
【０００１】
本発明は、蓋を有する包装容器の蓋と容器に跨って貼付する封緘シールに関する。
【背景技術】
【０００２】
蓋を有する包装容器の蓋と容器に跨って貼付する封緘シールが従来からある。この封緘シールは、蓋が容易に開封することを防止することと、包装容器の蓋が開封されたことを目視で判別でき、ユーザーに包装容器中の商品の安全性をアピールするために貼付されている。
【０００３】
この封緘シールを、蓋と容器に跨っている部分の一部に形成された切取線又は切り欠きから分断することによって包装容器の開封を行っていた（例えば、特許文献１参照）。
【特許文献１】特開平２００２−１６２９０９号公報
【発明の開示】
【発明が解決しようとする課題】
【０００４】
しかしながら、特許文献１のような封緘シールにあっては、包装容器の開封後は蓋と容器それぞれに残存する封緘シール片を剥がして廃棄されるだけであった。
【０００５】
また、封緘シールの切取線又は切り欠きが切っ掛けとなり、包装容器の運搬又は店頭での陳列時に起こり得る軽い衝撃によっても分断され易く、開封時以外に封緘シールが分断されてしまうという問題があった。
【０００６】
また、ペットボトルのような蓋と容器がねじ状に螺合された包装容器において、蓋と容器の合わせ目が封緘シールの切取線又は切り欠きと一致するように貼付しなくてはならず、貼付作業が面倒であった。
【０００７】
また、開封時に、封緘シールは切取線又は切り欠きによって分断されるため、封緘シールの表面に宣伝情報を印字する場合、封緘シールが分断されても封緘シールの表面に印字された宣伝情報が読み取れるように、宣伝情報を切取線又は切り欠きに跨らないように構成する必要がある。よって、封緘シールの表面に印字する宣伝情報を切取線又は切り欠きを跨らないように構成する作業が困難である。
【０００８】
本発明は、上記のような問題点に着目してなされたものであって、切取線又は切り欠きがなく、蓋シールと容器シールを重ね合わせて擬似接着層によって接着した構成により、封緘シールの表面の宣伝情報を構成する作業が容易で、包装容器への貼付作業が容易で、開封時以外に容易に分離せず、開封後に隠蔽情報の表示を行う封緘シールを提供することを目的とする。
【課題を解決するための手段】
【０００９】
本発明に係る封緘シールは、容器と、該容器の開口に取り付けた蓋に跨って貼付される封緘シールであって、裏面の一部に粘着剤が塗布され、前記蓋に貼付する蓋シールと、裏面の一部に粘着剤が塗布され、前記容器に貼付する容器シールと、前記蓋シールと前記容器シールそれぞれの前記粘着剤の非塗布部分を互いに重ね合わせて接着した擬似接着層を有することを特徴とする。
また、前記容器シールの表面に隠蔽情報を印刷した隠蔽情報表示部を有し、前記隠蔽情報表示部の上層に前記擬似接着層を介して前記蓋シールを接着して形成することもできる。
また、前記擬似接着層の一部に擬似接着しない非擬似接着領域を有することもできる。
また、前記封緘シールの表面に宣伝情報の印刷がされている情報表示部を有することもできる。
【発明の効果】
【００１０】
本発明に係る封緘シールは、蓋に貼付する蓋シールと容器に貼付する容器シールとを重ね合わせて擬似接着層によって接着されているため、蓋シールと容器シールを剥離しないと容器を開封できず、一旦剥離した封緘シールは再度接着できないため、開封済みを認知できるセキュリティ機能を付与できる。
また、蓋シールと容器シールとを重ね合わせて擬似接着層によって接着することで、包装容器の開封時以外に容易に封緘シールが分離されることがない。
また、開封を蓋シールと容器シールの剥離によって行うため、包装容器の開封に切取線又は切り欠きが不要である。よって包装容器の蓋と容器の合わせ目が封緘シールの切取線又は切り欠きと一致するように貼付しなくてよく、貼付作業が容易である。
また、開封の切っ掛けとなる切取線又は切り欠きの必要がないため、開封後も封緘シールの表面にある宣伝情報が分断されることはない。よって、封緘シールの表面に印字された宣伝情報は、切取線又は切り欠きを跨って構成する必要がなく、宣伝情報を構成する作業が容易である。
また、蓋シールが上層になるようにして容器シールと重ね合わせて擬似接着層によって接着されているため、蓋シールと重ね合わせられて、擬似接着層によって接着された容器シールの表面は、蓋シールと容器シールを剥離しないと目視ができない。よって、容器シールの表面に隠蔽情報が印字された隠蔽情報表示部を形成することができる。
また、隠蔽情報表示部の記載内容は、情報表示部に関連付けた内容とすることができ、情報表示部で宣伝情報である広告及び宣伝及びキャンペーン告知を行い、隠蔽情報表示部で詳細内容の説明をすることができるという効果がある。
また、擬似接着層の一部に擬似接着しない非擬似接着領域を形成することによって、包装容器の開封時に蓋シールと容器シールとを容易に剥離することができ、封緘シールをめくり易くなる。
また、蓋シールの表面に、宣伝情報である広告及び宣伝及びキャンペーン告知が印刷された情報表示部を有することにより、ユーザーに商品のアピールができる。
【発明を実施するための最良の形態】
【００１１】
以下、本発明に係る封緘シールの実施の形態を図１ないし図４に基づき説明する。
【００１２】
図１は、本発明に係る封緘シールの平面図、図２は図１におけるＩＩ-ＩＩ線に沿う断面図である。図１及び図２に示すように、封緘シール１は、主として蓋シール２と、容器シール３とを有し、蓋シール２を上層にして容器シール３に擬似接着している擬似接着層４と、により形成されている。
【００１３】
図３は蓋シール２の平面図である。図３及び図２に示すように、蓋シール２は、蓋シール擬似接着部５と、蓋シール貼付部７と、を有する。
【００１４】
蓋シール擬似接着部５は、蓋シール粘着剤層９が塗布されていない非塗布部分であり、裏面の擬似接着層４を介して容器シール３と接着するもので、蓋シール貼付部７と比べて幅が広く形成してあり、表面に宣伝情報が印刷された情報表示部１１を有する。
また、裏面の一部に擬似接着層４によって接着せず、容器シール３との剥離の切っ掛けとなる非擬似接着領域１２が形成してあり、非擬似接着領域１２には、剥離の切っ掛けとなることを示す情報である剥離情報表示部１３が表面に印字してある。
【００１５】
蓋シール貼付部７は、裏面の端部に後述する蓋１６に貼付する粘着剤である蓋シール粘着剤層９を有する。
【００１６】
図４は容器シールの平面図である。図４及び図２に示すように、容器シール３は、容器シール擬似接着部６と、容器シール貼付部８と、を有する。
【００１７】
容器シール擬似接着部６は、容器シール粘着剤層１０が塗布されていない非塗布部分であり、表面に隠蔽情報を印刷した隠蔽情報表示部１４を有し、隠蔽情報表示部１４の上層に擬似接着層４を介して蓋シール３を接着するもので、容器シール貼付部８と比べて幅が広く形成してある。
また、隠蔽情報表示部１４は、商品の販売元の社名及び商品の販売元の住所及び情報表示部に対応した情報であるキーワードが印刷してある。
【００１８】
容器シール貼付部８は、裏面の端部に後述する容器１７に貼付する粘着剤である容器シール粘着剤層１０を有する。
【００１９】
次に主に図５及び図６を用いて、動作状態を説明する。
【００２０】
封緘シール１を、図５及び図６に示す包装容器１５に用いた例で説明する。
包装容器１５は、蓋１６付きの容器１７であって、以降、蓋１６と容器１７がねじ状に螺合されているペットボトルを例にとって説明する。
【００２１】
図５は、封緘シールを包装容器に貼付した状態を示す正面図である。図５及び図２に示すように、封緘シール１の蓋シール粘着剤層９により蓋シール２を蓋１６に貼り付け、さらに、容器シール粘着剤層１０により容器シール３を容器１７に貼り付ける。
【００２２】
図６は、封緘シールを包装容器に貼付した後に、蓋シールの非擬似接着領域より剥離を行い、蓋シールと容器シールに分離しようとしている状態を示す正面図である。図６及び図２に示すように、包装容器１５の蓋１６の開封を行う場合、蓋シール２の非擬似接着領域１２を切っ掛けとして擬似接着層から蓋シール２を剥離する。剥離後に、封緘シール１は、蓋シール２と容器シール３とに分離されるので、蓋１６と容器１７との固定状態が解除され、蓋１６を回転して開封できるようになる。
【００２３】
このように構成された封緘シール１を、包装容器１５の蓋１６と容器１７に貼付することによって、包装容器１５の封緘ができる。
また、蓋シール２の剥離によって、容器シール３に印字された隠蔽情報である隠蔽情報表示部１４が目視可能となる。
また、蓋シール２の剥離後に、隠蔽情報表示部１４が印字された容器シールが、残存するため、隠蔽情報の取り置きができる。
【００２４】
尚、本発明は上述した実施の形態にのみ限定されるものではなく、本発明の要旨を逸脱しない範囲内において種々の変更を加えることが可能である。
【００２５】
例えば、本発明の封緘シール１の蓋シール２の形状は、実施の形態で蓋シール貼付部７が蓋シール擬似接着部５と比べて幅が狭く形成されていると説明したが、蓋シール貼付部７が容易に変形を起こさないようにするためには幅を広く形成しても良い。容器シール３にも同様のことがいえる。
また、蓋シール擬似接着部５と容器シール擬似接着部６の形状は、商品の宣伝効果を増すために、星型、ハート型等の目立つ形状にしてもよい。
【図面の簡単な説明】
【００２６】
【図１】本発明に係る封緘シールの平面図である。
【図２】図１の封緘シールの側面図である。
【図３】図１の封緘シールの蓋シールの平面図である。
【図４】図１の封緘シールの容器シールの平面図である。
【図５】図１の封緘シールを包装容器に貼付した状態を示す正面図である。
【図６】図１の封緘シールを包装容器に貼付した後に、蓋シールの非擬似接着領域より剥離を行い、蓋シールと容器シールに分離した状態を示す正面図である。
【符号の説明】
【００２７】
１     封緘シール
２     蓋シール
３     容器シール
４     擬似接着層
５     蓋シール擬似接着部
６     容器シール擬似接着部
７     蓋シール貼付部
８     容器シール貼付部
９     蓋シール粘着剤層
１０   容器シール粘着剤層
１１   情報表示部
１２   非擬似接着領域
１３   剥離情報表示部
１４   隠蔽情報表示部
１５   包装容器
１６   蓋
１７   容器
【図１】
2005189456.tif 000003
【図２】
2005189456.tif 000004
【図３】
2005189456.tif 000005
【図４】
2005189456.tif 000006
【図５】
2005189456.tif 000007
【図６】
2005189456.tif 000008